(57)【要約】【目的】磁石の数量を２分の１にしてしかも従来と同等の磁化水を製造することができる水の磁化装置を提供する。【構成】管路を流れる水に磁気を作用させ、磁化するための装置。磁化室１２を複数個具備するとともに、それら複数個の磁化室１２を通路１３により連通することによって内側磁化流路２５Ｉをなす内部ケーシング１５を形成し、上記磁化室１２には、永久磁石１６とそれに磁気吸着するヨーク板１７とを組み合わせた磁化器１８を配置し、上記内部ケーシング１５の外側を外部ケーシング２３により覆うことによって、内部ケーシング１５から流出した磁化水を履行させるとともに、その間に再度磁化作用を受ける外部磁化流路２５Ｅを形成する。【選択図】        図１
2005040694.tif 000002
【特許請求の範囲】
【請求項１】
管路を流れる水に磁気を作用させ、磁化するための装置であって、磁化室を複数個具備するとともに、それら複数個の磁化室を通路により連通することによって内側磁化流路をなす内部ケーシングを形成し、上記磁化室には、永久磁石とそれに磁気吸着するヨーク板とを組み合わせた磁化器を配置し、上記内部ケーシングの外側を外部ケーシングによって覆うことにより、内部ケーシングから流出した磁化水を復行させるとともに、その間に再度磁化作用を受ける外側磁化流路を形成して成る水の磁化装置。
【請求項２】
内部ケーシングの磁化室は磁性体によって形成する一方、外部ケーシングは非磁性体によって形成した構成を有する請求項１記載の水の磁化装置。
【請求項３】
一端を水の流入口とし、他端を水の流出口とし、それらの間に流断面積の大きい磁化室と流断面積の小さい通路とが交互に設けられた内部ケーシングと、内部ケーシングの磁化室に配置されている永久磁石とヨーク板とを組み合わせた磁化器と、内部ケーシングの一端外周から他端部に及ぶ外側全体を覆い、内部ケーシングの流出口から１次磁化水が流入し、さらに２次磁化水として他端部側より流出させる外部ハウジングとから成る構成を有する水の磁化装
置。
【発明の詳細な説明】
【０００１】
【発明の属する技術分野】
本発明は、管路を流れる水に磁気を作用させ、磁化するための装置に関するものである。
【０００２】
【従来の技術】
容器中の水に磁気を作用させ、磁化水を製造する装置は公知であり、例えば特開昭６３−２９６８８８、実公平４−４８８７７号、実登２５０１４６５号が公開されている。これらに見られる従来の発想は、磁石にできるだけ長い時間接しさせると、良く磁化された水を製造することができる、という原理に基いてお
り、従って従来の装置は磁石の数量が多くなる傾向がある。
【０００３】
しかし、磁石の数量を多くすると、装置の重量が重くなるという問題があり、重量が大きい、ということは取り付け相手も強度の高いものでなければならず、色々と問題を作る。また、磁石の数が多いと、破損して水道水中に入る危険性が大きい。中には水を蛇行させるか、或いはスパイラル状に流すことにより磁石との接触時間を長くしたものもあったが、装置が大型化し、そのために取り付け上の問題となることも多い。
【０００４】
【発明が解決しようとする課題】
本発明は前記の点に着目してなされたもので、その課題は、磁石の数量を従来の２分の１にしてしかも従来と同等の磁化水を製造することができる水の磁化装置を提供することである。また本発明の他の課題は、磁化領域における流速を増しローレンツ力を高めることにより管内を流れる水の乱流を伴い、磁化の効率を向上させることである。
【０００５】
【課題を解決するための手段】
前記課題を解決するため本発明は、水の磁化装置として、磁化室を複数個具備するとともに、それら複数個の磁化室を通路により連通することによって内側磁化流路をなす内部ケーシングを形成し、上記磁化室には、永久磁石とそれに磁気吸着するヨーク板とを組み合わせた磁化器を配置し、上記内部ケーシングの外側を外部ケーシングによって覆うことにより、内部ケーシングから流出した磁化水を復行させるとともに、その間に再度磁化作用を受ける外側磁化流路を形成するという手段を講じたものである。
【０００６】
本発明の水の磁化装置は、磁界中に水を通すことにより、水を磁化するための装置である。その磁界は、永久磁石によって形成され、また永久磁石は水流に接するように配置される点においては、従来のものと共通すると考えて良い。
【０００７】
本発明の装置は、磁化室を複数個具備し、それらを、通路により連通し、内部ケーシングを形成する。故に、内部ケーシングは流断面積が大きい磁化室と小さい通路から成る水流路を提供することができる。水は内部ケーシングの一端から流入して他端より流出する。
【０００８】
磁化室には、永久磁石とヨーク板とを組み合わせた磁化器が配置される。ヨーク板は永久磁石に磁気吸着する材料より成る。例えば、Ｓ極とＮ極とをヨーク板を挟んで対称に組み合わせることにより、磁石単体の持つ磁力をより有効に利用して磁化水を製造することができる。
【０００９】
上記の内部ケーシングの外側を外部ケーシングによって覆い、それによって、内部ケーシングの他端から流出した磁化水を復行させるものとし、復行する磁化水は、内部ハウジングに設けられている磁化器の磁界を再度通過するので、再度磁化作用を受ける。内部ケーシングと外部ケーシングとの間の空間は、磁化水が復行する流路であり、かつまた再度磁化作用を受ける部分でもあり、これを外側磁化流路と呼ぶ。
【００１０】
外部ケーシングの一部には復行する磁化水の流出のための取り出し口が形成される。内部ケーシングの他端の流出口は、外部ケーシングへの流入口となり、また、内部ケーシングに沿って復行した（反行した）外部ケーシングの他端側に外部ケーシングからの磁化水の流出口が設けられる。
【００１１】
上記構成部材中、内部ケーシングの磁化室は磁性体によって形成され、外部ハウジングは非磁性体によって形成されることが望ましい。内部ケーシングの磁化室を磁性体によって形成することで、外部磁化流路に、磁化器の磁力を及ぼすことができるようになる、一方、外部ケーシングを非磁性体によって形成することで、外部への磁気の漏れや、外部からの磁力の影響を可能な限り排除することができる。
【００１２】
なお、本発明において磁性体という場合には、磁界中に配置すると磁化する物質というほどの意味で用いており、非磁性体とは磁界中でも磁化されない物質というほどの意味で用いている。従って、ヨークも磁性体を材料とする。また永久磁石については、フェライト磁石、ネオジミウム−鉄−ボロン磁石（通称ネオジム磁石）その他の磁石を適用することができる。
【００１３】
従って、本発明による水の磁化装置は、一端を水の流入口とし、他端を水の流出口とし、それらの間に流断面積の大きい磁化室と流断面積の小さい通路とが交互に設けられた内側磁化流路をなす内部ケーシングと、内部ケーシングの磁化室に配置されている永久磁石とヨーク板とを組み合わせた磁化器と、内側磁化流路をなす内部ケーシングの一端部外周から他端部に及ぶ外側全体を覆い、内部ケーシングの流出口から１次磁化水が流入し、さらに２次磁化水として他端部側より流出させる外部ハウジングとから成る構成を有する。ここでは、内部ケーシングを通過してできたものを１次磁化水と呼び、外側磁化流路をなす外部ケーシングを通過してできたものを２次磁化水と呼んでいる。
【００１４】
【発明の実施の形態】
以下図示の実施形態により本発明をより詳細に説明する。図において、１１は流断面積の小さい通路の一部である水の流入口、１２は流断面積の大きい磁化
室、１３は中間の通路、１４は水の流出口を示しており、これらは内部ケーシング１５を構成している。内部ケーシング１５の各部中、磁化室１２だけは磁性体材料としてのＳＵＳ４３０によって形成されており、他の流入口１１、中間の通路１３及び流出口１４、を構成している部材は非磁性体材料としてのＳＵＳ３０４によって形成されている。
【００１５】
磁化室１２には、永久磁石１６と、それに磁気吸着するヨーク板１７とを組み合わせた磁化器１８が配置されている。永久磁石１６はフェライト磁石から成
り、ヨーク板１７は磁性体材料であるＳＵＳ４３０によって形成されている。この磁化器１８は、円盤状に形成されている永久磁石１６と、それよりもやや大径の円板状に形成されているヨーク板１７の中心に１９、２１を開け、そこに支軸２０を通し、固定具２２を用いて支軸２０と一体に固定した構造を有する。図２参照。なお、支軸２０は非磁性体としてのＳＵＳ３０４から成る。
【００１６】
例示の磁化器１８は、図２に示すように、磁気吸着している一対の永久磁石
１６、１６の両側にヨーク板１７、１７を磁気吸着させた配置を有しており、その極性は例えば図２に示したようになる。しかし、永久磁石１６を２個並べる必要はなく、永久磁石１個置きにヨーク板１７を挟んで磁化器１８を構成しても良く、また図２の４個の磁石列の中央のヨーク板１７のみ残して両端を省略しても良い。ヨーク板１７の枚数は、目的とする磁束密度の値に合わせて増減することができる。また磁化器１８を含む内部ケーシング１５は内側磁化流路２５Ｉを構成する。
【００１７】
上記の内部ケーシング１５の外側は、外部ケーシング２３によって覆われている。外部ケーシング２３の一端は、内部ケーシング１５の流入口１１の外周にあり、外部ケーシング２３の他端は、内部ケーシング１５の内部流出口１４を覆っており、一端近くに最終的な流出口２４が設けられている。内部流出口１４から最後の流出口２４の間は外側磁化流路２５Ｅとなっており、これは、磁化器１８の周囲の狭い流路２６と、中間の流路１３の周囲の広い流路２７とが交互に配列したものから成る。外部ケーシング２３は、内部ケーシング１５を収める筒状に形成されており、これは非磁性体材料としてのＳＵＳ３０４から成る。
【００１８】
このような構成を有する水の磁化装置１０により磁化水を製造するには、水の流入口１１から内部に水を供給する。水は広い磁化室１２と狭い流路１３を交互に満たしながら流れ、その間に、磁化器１８が形成している内側磁化流路２５Ｉの磁界を通り磁化されていく。水流が狭い流路１３から広い磁化室１２に到り、また狭い流路１３へと流れるとき、磁化室１２の狭ばめられた領域で流速が増すとローレンツ力も高められ、管内を流れる水の乱流を伴い、磁化の効率が向上する。水が磁化されるにともない、水道水のような水分子の大きいクラスターでも会合が解かれて小さいクラスターとなり、より吸収性、浸透性の高い水となる。
【００１９】
本発明の水の磁化装置１０では、緩急速度変化のある水流として、内部ケーシング１５内の内側磁化流路２５Ｉを通って磁化される。と同時に、同じ磁化水が外部磁化流路２５Ｅを復行する際にも、磁化器１８の磁界による磁化作用を受けるので、本発明による装置全長の２倍の距離において磁気処理を受けたのと等しいことになる。しかも、復行時にも狭い流路２６と広い流路２７を通過するの
で、緩急速度変化のある水流となり、かつまた同じ磁化器１８が往復２度利用されるので大変効率が良い。
【００２０】
本発明の水の磁化装置１０で製造された磁化水は、磁化水それ自体の吸収性、浸透性の良い水として広汎に使用することができる。と同時に、クラスターが細小化した磁化水を給水、給湯、冷却水等の配管に通すことにより、配管内面にスケールが付着するのを防止し、また赤さびの発生を防止することができる。
【００２１】
【発明の効果】
本発明は以上の如く構成されかつ作用するものであるから、水流を内部ケーシングの内側磁化流路から内部ケーシング外の外側磁化流路に復行させ、一つの磁化器の磁界を往復２回通過することとなるので、磁石の数量が従来の２分の１で済み、磁化水を効率良く製造することができるとともに、重量や大きさにおいても従来のような問題がなく、実用性の高い水の磁化装置を提供することができ
る。
【図面の簡単な説明】
【図１】本発明に係る水の磁化装置の実施形態の１例を示す縦断面図。
【図２】同上装置に用いる磁気器の拡大面図。
【図３】（ａ）同上の永久磁石とヨーク板を示す正面図。
（ｂ）永久磁石の側面図
（ｃ）ヨーク板の側面図
【符号の説明】
１０  水の磁化装置
１１  流入口
１２  磁化室
１３  通路
１４  流出口
１５  内部ケーシング
１６  永久磁石
１７  ヨーク板
１８  磁化器
２３  外部ケーシング
２４  最終的流出口
２５Ｉ  内側磁化流路
２５Ｅ  外側磁化流路
【図１】
2005040694.tif 000003
【図２】
2005040694.tif 000004
【図３】
2005040694.tif 000005